【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】円筒形状の台座の外周に、断面コ字状の鋼板でブラシを挟み込んだチャンネルブラシを巻き付け、止め金具で固定した洗浄ブラシにおいて、該ブラシは、平板状の織布または不織布か、あるいは、波形凹凸部を有する長尺形状の織布または不織布であることを特徴とする洗浄ブラシ。
【請求項２】前記チャンネルブラシのブラシは、ブラシの長手方向に複数のスリットを有することを特徴とする請求項１記載の洗浄ブラシ。
【請求項３】円筒形状の台座の外周に、断面コ字状の鋼板でブラシを挟み込んだチャンネルブラシを巻き付け、止め金具で固定した洗浄ブラシにおいて、該ブラシは、織布または不織布であって、中空の円筒形状または円錐形状または角筒形状または角錐形状のいずれかに形成されたものであることを特徴とする洗浄ブラシ。
【請求項４】円筒形状の台座の外周に、断面コ字状の鋼板でブラシを挟み込んだチャンネルブラシを巻き付け、止め金具で固定した洗浄ブラシにおいて、該ブラシは、重ね合わせて折り込んだ平板状の織布または不織布であることを特徴とする洗浄ブラシ。
【請求項５】円筒形状の台座の外周に、断面コ字状の鋼板でブラシを挟み込んだチャンネルブラシを巻き付け、止め金具で固定した洗浄ブラシにおいて、該ブラシは、平板状の織布または不織布と、天然樹脂発泡体又は合成樹脂発泡体又は編物又は天然繊維又は化学繊維又は天然樹脂又は合成樹脂又は天然ゴム又は合成ゴム又はゲル材又はフィルム材又はメッシュ材の少なくともいずれかの材質が使用されていることを特徴とする洗浄ブラシ。
【手続補正２】
【補正対象書類名】明細書
【補正対象項目名】０００２
【補正方法】変更
【補正の内容】
【０００２】
【従来の技術】洗浄ブラシについては、さまざまな改良がなされ、例えば、洗浄ブラシとして、特開２００３−３４４号の如く、チャンネルブラシのブラシに、長尺の発泡材が使用されると共に、チャンネルブラシを台座に巻き付けた後、止め金具にて固定された技術が、開示されている。また、洗車ブラシ及び自動洗車機として、登録実用新案第３０４５１７０号の如く、束ね部を有する長尺の布帛をブラシ軸の周囲に螺旋状に巻き付け、束ね部がブラシ軸の周囲に中心軸方向千鳥に固定された技術が、開示されている。しかしながら、従来の技術においては、登録実用新案第３０４５１７０号の如く、布帛はブラシ軸にたいして固定されてあるか、あるいは特開２００３−３４４号の如く、チャンネルブラシのブラシの材質としては、長尺の発泡材が使用されている。その為、洗浄力および生産性において秀れたものとはいえず、改良が望まれている。
【手続補正３】
【補正対象書類名】明細書
【補正対象項目名】０００４
【補正方法】変更
【補正の内容】
【０００４】
【課題を解決するための手段】本発明にかかる洗浄ブラシは、上記の目的を達成するため次の手段を採った。すなわち、請求項１の発明は、円筒形状の台座の外周に、断面コ字状の鋼板でブラシを挟み込んだチャンネルブラシを巻き付け、止め金具で固定した洗浄ブラシにおいて、該ブラシは、平板状の織布または不織布か、あるいは、波形凹凸部を有する長尺形状の織布または不織布であることを特徴としている。
【手続補正４】
【補正対象書類名】明細書
【補正対象項目名】０００５
【補正方法】変更
【補正の内容】
【０００５】
前記チャンネルブラシのブラシは、請求項２に記載のように、ブラシの長手方向に複数のスリットを有するのが望ましい。
【手続補正５】
【補正対象書類名】明細書
【補正対象項目名】０００６
【補正方法】変更
【補正の内容】
【０００６】
また、請求項３の発明は、円筒形状の台座の外周に、断面コ字状の鋼板でブラシを挟み込んだチャンネルブラシを巻き付け、止め金具で固定した洗浄ブラシにおいて、該ブラシは、織布または不織布であって、中空の円筒形状または円錐形状または角筒形状または角錐形状のいずれかに形成されたものであることを特徴としている。
【手続補正６】
【補正対象書類名】明細書
【補正対象項目名】０００７
【補正方法】変更
【補正の内容】
【０００７】
また、請求項４の発明は、円筒形状の台座の外周に、断面コ字状の鋼板でブラシを挟み込んだチャンネルブラシを巻き付け、止め金具で固定した洗浄ブラシにおいて、該ブラシは、重ね合わせて折り込んだ平板状の織布または不織布であることを特徴としている。
【手続補正７】
【補正対象書類名】明細書
【補正対象項目名】０００８
【補正方法】変更
【補正の内容】
【０００８】
また、請求項５の発明は、円筒形状の台座の外周に、断面コ字状の鋼板でブラシを挟み込んだチャンネルブラシを巻き付け、止め金具で固定した洗浄ブラシにおいて、該ブラシは、平板状の織布または不織布と、天然樹脂発泡体又は合成樹脂発泡体又は編物又は天然繊維又は化学繊維又は天然樹脂又は合成樹脂又は天然ゴム又は合成ゴム又はゲル材又はフィルム材又はメッシュ材の少なくともいずれかの材質が使用されていることを特徴としている。
【手続補正８】
【補正対象書類名】明細書
【補正対象項目名】０００９
【補正方法】変更
【補正の内容】
【０００９】
【発明の実施の形態】請求項１の発明の実施の形態を実施の形態１、請求項２の発明の実施の形態を実施の形態２、請求項３の発明の実施の形態を実施の形態３、請求項４の発明の実施の形態を実施の形態４、請求項５の発明の実施の形態を実施の形態５として以下に説明する。
実施の形態１
図１から図５にて実施の形態１を示す。図１は、本発明の洗浄ブラシを洗車ブラシとして使用した形態を前面側から見た斜視図である。図１において、１は洗浄ブラシ、２は台座、３はチャンネルブラシ、４はブラシ、５は止め金具、６は爪、７はネジである。図２は、図１に使用したチャンネルブラシを前面側から見た斜視図である。図２において、８は鋼板、２９は鋼線である。図３は、図１に使用した台座２及び止め金具５を前面側から見た斜視図である。図４は、チャンネルブラシの製造方法を、前面側から見た斜視図である。図４において、９は横ロール、１０は基台、１９は縦ロールである。図５は、チャンネルブラシを台座２に巻き付けた状態を前面側から見た斜視図である。
【手続補正９】
【補正対象書類名】明細書
【補正対象項目名】００１９
【補正方法】変更
【補正の内容】
【００１９】
洗浄ブラシ１１は、図７の如く、台座１２、チャンネルブラシ１３、及び止め金具１５より構成されてある。台座１２は、略円筒形状からなり、外周には、チャンネルブラシ１３が形成されてあり、チャンネルブラシ１３は、止め金具１５により、固定されてある。チャンネルブラシ１３にはブラシ２４が形成されてあり、ブラシ２４は、図８の如く、長辺２６及び短辺２７からなる平板状の長尺形状にて形成されてあり、材質には織布あるいは不織布が使用されてある。また、ブラシ２４は、複数のスリット３０が、ブラシの長手方向に、すなわち、長辺２６に平行になるように、両側に形成されてある。中央部２５の両側には、切欠き２８が形成されてある。
【手続補正１０】
【補正対象書類名】明細書
【補正対象項目名】００４５
【補正方法】変更
【補正の内容】
【００４５】
【発明の効果】以上の説明から明らかなように、本発明の洗浄ブラシは次に示すような効果がある。
【手続補正１１】
【補正対象書類名】明細書
【補正対象項目名】００４６
【補正方法】変更
【補正の内容】
【００４６】
請求項１の発明では、平板状の織布あるいは不織布が、台座の外周にたいして、連続的に形成される。その為、使用時には、平板状の織布あるいは不織布からなるブラシを、被洗浄面にたいして連続的に接触させることができる。その為、洗浄ムラが発生する事が無く、短時間にて洗浄する事ができると共に、高い洗浄力を発揮できる。また、洗浄ブラシは、上記の如く、チャンネルブラシを、台座の外周にたいして巻き付けた後、止め金具にて固定する製造方法を採用している為、迅速に製造することができる。
【手続補正１２】
【補正対象書類名】明細書
【補正対象項目名】００４８
【補正方法】変更
【補正の内容】
【００４８】
また、請求項２の発明によれば、複数のスリットを有するブラシが、台座の外周にたいして、連続的に形成される。その為、複数のスリットを有する織布あるいは不織布からなるブラシを、被洗浄面にたいして連続的に接触させることができる。その為、洗浄ムラが発生する事が無く、短時間にて洗浄する事ができると共に、高い洗浄力を発揮できる。また、洗浄ブラシは、上記の如く、チャンネルブラシを台座の外周にたいして巻き付けた後、止め金具にて固定する製造方法を採用している為、迅速に製造することができる。また、ブラシは、複数のスリットを有する平板状の長尺形状から形成されてある為、鋼板の上部に設置する事が簡単にでき、製造時の手間を大幅に削減できる。さらにまた、ブラシの中央部の両側には切欠きが形成されてある為、ブラシを、鋼板の上部にたいして正確に設置する事ができる。
【手続補正１３】
【補正対象書類名】明細書
【補正対象項目名】００５０
【補正方法】変更
【補正の内容】
【００５０】
また、請求項３の発明によれば、中空の概円筒形状に形成されてある複数のブラシが、台座の外周にたいして連続的に形成される。その為、端部を有する概円筒形状の織布あるいは不織布からなるブラシを、被洗浄面にたいして、概円筒形状面を、連続的に接触させることができる。その為、被洗浄面を傷つけたり、洗浄ムラが発生する事が無く、短時間にて洗浄する事ができると共に、高い洗浄力を発揮できる。ブラシの毛丈に段差が形成されるように、洗浄ブラシが形成されてある場合には、被洗浄面にたいして、異なる押し付け力にて連続的に接触させることができる為、より高い洗浄力を発揮できる。また、洗浄ブラシは、上記の如く、チャンネルブラシを台座の外周にたいして巻き付けた後、止め金具にて固定する製造方法を採用している為、迅速に製造することができる。
【手続補正１４】
【補正対象書類名】明細書
【補正対象項目名】００５２
【補正方法】変更
【補正の内容】
【００５２】
また、請求項４の発明によれば、重ね合わせて折り込んだ平板状に形成されてある複数のブラシが、台座の外周にたいして連続的に形成される。その為、端部を有する重ね合わせて折り込んだ平板状に形成されてある織布あるいは不織布からなるブラシを、被洗浄面にたいして、連続的に接触させることができる。その為、洗浄ムラが発生する事が無く、短時間にて洗浄する事ができると共に、重ね合わせて折り込んだ平板状により、毛腰を強くすることができる為、高い洗浄力を発揮できる。ブラシの毛丈に段差が形成されるように、洗浄ブラシが形成されてある場合には、被洗浄面にたいして、異なる押し付け力にて連続的に接触させることができる為、より高い洗浄力を発揮できる。また、洗浄ブラシは、上記の如く、チャンネルブラシを台座の外周にたいして巻き付けた後、止め金具にて固定する製造方法を採用している為、迅速に製造することができる。
【手続補正１５】
【補正対象書類名】明細書
【補正対象項目名】００５３
【補正方法】変更
【補正の内容】
【００５３】
また、請求項５の発明によれば、材質に織布あるいは不織布が使用されてあるブラシが、材質に合成樹脂発泡体が使用されてあるブラシの内側に形成されると共に、材質に織布あるいは不織布が使用されてあるブラシの毛丈が、材質に合成樹脂発泡体が使用されてあるブラシの毛丈よりも高くなるよう、台座の外周にたいして、連続的に形成される。その為、材質に織布あるいは不織布が使用されてあるブラシは、材質に合成樹脂発泡体が使用されてあるブラシよりも毛丈が高く形成されて、被洗浄面にたいして、連続的に接触させることができる。その為、材質に織布あるいは不織布が使用されてあるブラシが、材質に合成樹脂発泡体が使用されてあるブラシよりも先に、被洗浄面に接触する事により、洗浄ムラが発生する事が無く、高い洗浄力を発揮できる。また、洗浄ブラシは、材質に織布あるいは不織布が使用されてあるブラシが、材質に合成樹脂発泡体が使用されてあるブラシの内側に形成されるように折り込まれてある為、ブラシの毛腰を強くすることができ、より高い洗浄力を発揮できる。さらにまた、材質に合成樹脂発泡体が使用されてあるブラシを、被洗浄面に接触させる事ができる為、洗浄ブラシの耐摩耗性を、向上させる事ができる。
【手続補正１６】
【補正対象書類名】明細書
【補正対象項目名】図面の簡単な説明
【補正方法】変更
【補正の内容】
【図面の簡単な説明】
【図１】請求項１の発明の洗浄ブラシの実施の形態を示す斜視図である。
【図２】同、チャンネルブラシの斜視図である。
【図３】同、台座及び止め金具の斜視図である。
【図４】同、チャンネルブラシの製造方法を示す斜視図である。
【図５】同、チャンネルブラシを台座に巻き付けた状態を示す斜視図である。
【図６】請求項１の発明の洗浄ブラシの他の実施の形態を示す斜視図である。
【図７】請求項２の発明の洗浄ブラシの実施の形態を示す斜視図である。
【図８】同、ブラシを前面側から見た斜視図である。
【図９】同、チャンネルブラシの製造方法を示す斜視図である。
【図１０】請求項２の発明の洗浄ブラシの他の実施の形態を示す斜視図である。
【図１１】請求項３の発明の洗浄ブラシの実施の形態を示す斜視図である。
【図１２】同、ブラシの斜視図である。
【図１３】同、チャンネルブラシの製造方法を示す斜視図である。
【図１４】請求項３の発明の洗浄ブラシの他の実施の形態を示す斜視図である。
【図１５】請求項４の発明の洗浄ブラシの実施の形態を示す斜視図である。
【図１６】同、ブラシの斜視図である。
【図１７】同、チャンネルブラシの製造方法を示す斜視図である。
【図１８】請求項４の発明の洗浄ブラシの他の実施の形態を示す断面図である。
【図１９】同、他の実施の形態を示す断面図である。
【図２０】同、他の実施の形態を示す断面図である。
【図２１】同、他の実施の形態を示す断面図である。
【図２２】請求項５の発明の洗浄ブラシの実施の形態を示す斜視図である。
【図２３】同、チャンネルブラシの断面図である。